(57)【要約】【課題】巻芯に巻き重ねられた状態から接着剤テープを確実に引出すことができる接着剤テープの巻回体を提供する。【解決手段】基材フィルムと、基材フィルム上に設けられた接着剤層とを有する異方導電材テープ３を備え、軸線Ｌ０方向に延在する巻芯に接着剤テープ３が巻き重ねられている巻回体１であって、巻芯２の一端２ａ側から他端２ｂ側へ軸線Ｌ０方向に位置をずらしながら巻芯２の周面に沿って接着剤テープ３が巻き付けられている第１の周回部６と、第１の周回部６に対して径方向の外側に隣接し、巻芯２の他端２ｂ側から一端２ａ側へ軸線Ｌ０方向に位置をずらしながら巻芯２の周面に沿って接着剤テープ３が巻き付けられている第２の周回部７と、を備え、径方向の外側から見た場合に、第１の周回部６の接着剤テープ３と第２の周回部７の接着剤テープ３とが交差する構成とする。【選択図】図３
2015007183.tif 000002
【特許請求の範囲】
【請求項１】
基材フィルムと、前記基材フィルム上に設けられた接着剤層とを有する接着剤テープを備え、軸線方向に延在する巻芯に前記接着剤テープが巻き重ねられている巻回体であって、
前記巻芯の一端側から他端側へ前記軸線方向に位置をずらしながら前記巻芯の周面に沿って前記接着剤テープが巻き付けられている第１の周回部と、
前記第１の周回部に対して径方向の外側に隣接し、前記巻芯の前記他端側から前記一端側へ前記軸線方向に位置をずらしながら前記巻芯の周面に沿って前記接着剤テープが巻き付けられている第２の周回部と、を備え、
径方向の外側から見た場合に、前記第１の周回部の前記接着剤テープと前記第２の周回部の前記接着剤テープとが交差していることを特徴とする接着剤テープの巻回体。
【請求項２】
前記軸線方向に隣接する前記接着剤テープ間に、隙間が形成されていることを特徴とする請求項１に記載の接着剤テープの巻回体。
【請求項３】
前記接着剤テープは、前記接着剤層として異方導電材層を備える異方導電材テープであることを特徴とする請求項１又は２に記載の接着剤テープの巻回体。
【発明の詳細な説明】
【技術分野】
【０００１】
本発明は、軸線方向に所定の長さを有する巻芯に、接着剤テープが巻き重ねられた巻回体に関する。
【背景技術】
【０００２】
接着剤テープとして、電子部品と回路基板、回路基板同士などを接着固定する共に、両者の対向する電極同士を電気的に接続する異方導電材テープが知られている。このような異方導電材テープを対向する電極間に挟んで加熱加圧することにより、基板同士を接着して電極同士を導通させることができる。
【０００３】
従来、異方導電材テープは、例えば円盤状の芯材であるリールに巻回されてリール製品として提供されていた。また、中心線方向に所定の長さを有する円筒体を芯材とし、この芯材に異方導電材テープを巻き重ねることで、製品として異方導電材テープを供給することが提案されている（例えば特許文献１参照）。
【先行技術文献】
【特許文献】
【０００４】
【特許文献１】特開２００４−５９７７６号公報
【発明の概要】
【発明が解決しようとする課題】
【０００５】
接着剤テープを使用する場合には、まず、芯材に巻き重ねられた状態の巻回体から接着剤テープを引き出す必要がある。巻回体から接着剤テープを引き出す場合には、巻回体を軸線回りに回転させながら接着剤テープを巻回体から引き出している。接着剤テープは、基板などに接着する際に接着剤層が基材フィルムから剥がされるので、基材フィルムが比較的に弱い力で剥がれ易いように設計されている。巻回体から接着剤テープを引き出す際に、例えば、芯材に巻かれた状態の接着剤テープの接着剤層（例えば異方導電材層）が、径方向の内側に隣接する他の周回の基材フィルムに付着したまま残ると、同一周回の接着剤層と基材フィルムとが剥離していまい、接着剤テープの引出しの継続が困難になる。
【０００６】
本発明は、巻芯に巻き重ねられた状態から接着剤テープを確実に引出すことができる接着剤テープの巻回体を提供することを目的とする。
【課題を解決するための手段】
【０００７】
本発明の接着剤テープの巻回体は基材フィルムと、基材フィルム上に設けられた接着剤層とを有する接着剤テープを備え、軸線方向に延在する巻芯に接着剤テープが巻き重ねられている巻回体であって、巻芯の一端側から他端側へ軸線方向に位置をずらしながら巻芯の周面に沿って接着剤テープが巻き付けられている第１の周回部と、第１の周回部に対して径方向の外側に隣接し、巻芯の他端側から一端側へ軸線方向に位置をずらしながら巻芯の周面に沿って接着剤テープが巻き付けられている第２の周回部と、を備え、径方向の外側から見た場合に、第１の周回部の接着剤テープと第２の周回部の接着剤テープとが交差していることを特徴としている。
【０００８】
巻回体は、巻芯の一端側から他端側へ軸線方向に位置をずらしながら巻芯の周面に沿って接着剤テープが複数回巻きつけられた第１の周回部と、この第１の周回部上で巻芯の他端側から一端側へ軸線方向に位置をずらしながら巻芯の周面に沿って接着剤テープが複数回巻きつけられた第２の周回部とを有し、径方向に隣接する第１の周回部の接着剤テープと第２の周回部の接着剤テープとは、径方向の外側から見て互いに交差している。すなわち、径方向の外側から見たときに、径方向に隣接する第１の周回部の接着剤テープと第２の周回部の接着剤テープとが平行に配置されることが防止されるので、第１の周回部の接着剤テープと第２の周回部の接着剤テープとが複数周連続して付着することが防止される。第２の周回部の接着剤テープは、第１の周回部の接着剤テープの幅方向の端部を乗り越えるように配置される。第２の周回部の接着剤テープが、第１の周回部の接着剤テープの幅方向の端部を乗り越えて付着する部分では、第１の周回部の接着剤テープと第２の周回部の接着剤テープとの結合力が弱く、径方向において異なる周に配置された接着剤テープは分離されやすくなり、巻回体からの引出しを確実に行うことができる。
【０００９】
また、巻回体は、軸線方向に隣接する接着剤テープ間に、隙間が形成されている構成でもよい。この構成の巻回体では、隣接する接着剤テープの幅方向の端部間に隙間が形成されているので、第２の周回部の接着剤テープが、第１の周回部の接着剤テープの端部間の隙間を跨いで配置され、第１の周回部の接着剤テープと接触していない領域が形成されることになる。そのため、第２の周回部の接着剤テープの接着剤層が、第１の周回部の接着剤テープの基材フィルムに付着したままの状態となることが防止され、同一周回の接着剤層と基材フィルムとが分離してしまうことが防止される。
【００１０】
また、接着剤テープは、接着剤層として異方導電材層を備える異方導電材テープでもよい。これにより、巻回体から異方導電材テープを確実に引出すことができる。
【発明の効果】
【００１１】
本発明によれば、巻芯に巻き重ねられた状態から接着剤テープを引き出す際に、接着剤テープの基材フィルムと接着剤層とが分離することを防止して、接着剤テープを巻回体から引き出すことができる。
【図面の簡単な説明】
【００１２】
【図１】本発明の一実施形態の異方導電材テープの巻回体を示す模式的斜視図である。
【図２】異方導電材テープの模式的断面図である。
【図３】巻回体を示す模式的側面図であり、（ａ）は外周面に第２周回部が露出している状態の模式的側面図であり、（ｂ）は外周面に第１周回部が露出している状態の模式的側面図である。
【図４】外周面に第２周回部が露出している状態の巻回体を拡大して示す模式的拡大側面図である。
【発明を実施するための形態】
【００１３】
以下、図面を参照しつつ本発明に係る接着剤テープの巻回体の好適な実施形態について詳細に説明する。
【００１４】
図１に示されるように、巻回体１は、軸線Ｌ０方向に延在する巻芯（芯材）２に異方導電材テープ（接着剤テープ）３が巻き重ねられたものである。
【００１５】
図２は、異方導電材テープ３の模式的断面図である。異方導電材テープ３は、図２に示されるように、基材フィルム４と、この基材フィルム４の一方の面に設けられた接着剤層（異方導電材層）５とを有する。基材フィルム４に用いることができる素材としては、ポリプロピレン（ＰＰ）、延伸ポリプロピレン（ＯＰＰ）、ポリエチレンテレフタレート（ＰＥＴ）等が挙げられる。基材フィルム４は、破断強度が８０〜４００ＭＰａ、且つ、破断伸度が３０〜２００％であることが好適である。破断強度及び破断伸度は、ＪＩＳ  Ｃ２３１８又はこれに準じる方法で測定したものである。このような破断強度及び破断伸度の基材フィルム４を用いることで、接着剤層５が基材フィルム４と共に伸びてしまうことが防止され、接合後の製品の性能安定性をより向上させることができる。
【００１６】
基材フィルム４の厚さは１００μｍ以下（好ましくは７５μｍ以下、更には５０μｍ以下）が好ましい。基材フィルム４の厚さをこの範囲にすることで、異方導電材テープ３の厚さを薄くすることができ、巻芯２に巻回できる異方導電材テープ３の長さを増大させることができ、生産性を向上させることができる。なお、基材フィルム４の厚さの下限としては１０μｍ程度である。
【００１７】
基材フィルム４の幅は、接着剤層５の幅と同じであるか、接着剤層５の幅よりも大きいことが好ましい。具体的には、接着剤層５の幅は、０．５〜５ｍｍが好ましいため、これと同等か５０％程広い幅、すなわち、０．５〜７．５ｍｍ程度の幅が好ましい。基材フィルム４の幅が接着剤層５より広いときは、接着剤層５は基材フィルム４の幅方向の中央に配置させるのがよい。
【００１８】
基材フィルム４はその表面が離型処理されたものであってもよい。ここで「離型処理」とは、基材フィルム４の表面を低表面エネルギーにして、材料の密着性を低下させる処理をいう。離型処理としては、シリコーン又はフッ素化合物で表面処理する方法が典型的である。基材フィルム４の両面が離型処理されていることが好ましい。このように離型処理されていることにより、接着剤層５を電子基板等に接着させるときに容易に基材フィルム４から剥離できるようになる。
【００１９】
接着剤層５としては、電極間の導通を得るための導電粒子が樹脂に混合されたものが典型的であり、樹脂としては、熱可塑性樹脂、熱硬化性樹脂、熱可塑性樹脂及び熱硬化性樹脂の混合系並びに光硬化性樹脂を用いることができる（例えば、特開昭５５−１０４００７号公報参照）。なお導電粒子を含まず、樹脂のみからなるものであってもよい（例えば、特開昭６０−２６２４３０号公報参照）。
【００２０】
熱可塑性樹脂としては、スチレン樹脂系、ポリエステル樹脂系があり、また熱硬化性樹脂系としてはエポキシ樹脂系、シリコーン樹脂系、アクリル樹脂系等が知られている。熱可塑性樹脂系、熱硬化性樹脂系共に接続するために、通常、加熱加圧を必要とする。熱可塑性樹脂系では樹脂を流動させ被着体との密着力を得るため、また熱硬化性樹脂系では更に樹脂の硬化反応を行うためである。また、光硬化樹脂系は低温度で接続が求められる用途に有用である。
【００２１】
接着剤層５の厚さには特に制限はなく、適用する用途に合わせて適宜決定できる。接着剤層５の厚さは、例えば、１〜１００μｍ（好ましくは５〜１００μｍ、更には１０〜４０μｍ）とすることができる。
【００２２】
巻芯２は、図１に示されるように、軸線Ｌ０方向に所定の長さを有する円筒体である。巻芯２の外径は、例えば９０ｍｍであり、好ましくは６０〜１２０ｍｍであり、巻芯２の内径は、例えば７６ｍｍである。巻芯２の軸線Ｌ０方向の長さは、例えば５０〜１５０ｍｍである。
【００２３】
異方導電材テープ３は、巻芯２の外周面に沿って巻き付けられ、巻芯２の軸線Ｌ０方向の所定の長さの領域に複数列、巻かれた後、径方向の外側へ順次巻き重ねられ、複数回巻かれている。異方導電材テープ３は、径方向の内側に接着剤層５が配置され、径方向の外側に基材フィルム４が配置されている。巻芯２に巻き重ねられた異方導電材テープ３の全長は、例えば３０００ｍである。このときの巻回体１の軸線Ｌ０方向の幅は、例えば２０ｍｍであり、巻回体１の外径は、例えば１５０ｍｍである。また、巻回体１は巻芯２の軸線Ｌ０方向の中央の領域に配置されている。
【００２４】
図３に示されるように、巻回体１は、巻芯２の一端２ａ側から他端２ｂ側へ軸線Ｌ０方向に位置をずらしながら巻芯２の周面に沿って異方導電材テープ３が巻き付けられている第１周回部６と、第１周回部６上で巻芯の他端２ｂ側から一端２ａ側へ軸線Ｌ０方向に位置をずらしながら巻芯２の周面に沿って異方導電材テープ３が巻き付けられている第２周回部７とを備えている。巻回体１は、巻芯２の径方向において、第１周回部６と、第２周回部７とを交互に備えている。径方向の外側から見た場合に、第１周回部６の異方導電材テープ３と、第２周回部７の異方導電材テープ３とは、交差して配置されている。
【００２５】
図３（ａ）では、巻回体１の外周面に第２周回部７が露出している状態を示している。第２周回部７は、巻芯２の他端２ｂ側から一端２ａ側へ向く矢印ｂ方向に位置をずらしながら異方導電材テープ３が巻き付けられている。第２周回部７の異方導電材テープ３は、巻回体１の径方向の外側から見た場合に、上部３ａ側よりも下部３ｂ側が矢印ｂ方向にずれて配置されている。第２周回部７において、隣接する異方導電材テープ３同士は、径方向に重ならないように巻かれていることが好ましいが、一部が重なっていてもよい。
【００２６】
図３（ｂ）では、巻回体１の外周面に第１周回部６が露出している状態を示している。第１周回部６は、巻芯２の一端２ａ側から他端２ｂ側へ向く矢印ａ方向に位置をずらしながら異方導電材テープ３が巻き付けられている。第１周回部６の異方導電材テープ３は、巻回体１の径方向の外側から見た場合に、上部３ａ側よりも下部３ｂ側が矢印ａ方向にずれて配置されている。第１周回部６において、隣接する異方導電材テープ３同士は、径方向に重ならないように巻かれていることが好ましいが、一部が重なっていてもよい。
【００２７】
図４は、巻回体１の外周面を拡大して示す模式的拡大側面図である。図４では、第２周回部７が外周面に露出している状態を示している。巻回体１では、径方向の外側から見た場合に、隣接する異方導電材テープ３の幅方向の端部３ｃ間には、隙間ｄが形成されている。なお、巻回体１は、隙間ｄが形成されておらず、端部３ｃ同士が接触している構成でもよい。
【００２８】
異方導電材テープ３の端部３ｃ間の隙間ｄは、例えば７．５ｍｍ以下であり、０．０５〜０．２ｍｍであることが好ましい。また、隙間ｄは、異方導電材テープ３の幅に対して、例えば１００％以下であり、５〜２０％であることが好ましい。
【００２９】
また、巻回体１の径方向の外側から見た場合に、第２周回部７の異方導電材テープ３は、第１周回部６の異方導電材テープ３に対して、例えば２〜９０度の角度θ１で交差していることが好ましい。また、巻回体１の径方向の外側から見た場合に、第１周回部６又は第２周回部７の異方導電材テープ３は、巻芯２の軸線Ｌ０に対して例えば４５〜８９度の角度θ２で配置されていることが好ましい。
【００３０】
巻回体１では、第１周回部６における異方導電材テープ３の巻き数と、第２周回部７における異方導電材テープ３の巻き数とは、同じでもよく異なっていてもよい。
【００３１】
次に、異方導電材テープ３の巻回体１の作用について説明する。
【００３２】
このような巻回体１から異方導電材テープ３を引き出す場合には、例えば巻芯２を（繰り出し装置の）回転軸に挿通させて回転軸を軸回りに回転させることで、巻芯２及び巻回体１を回転させると共に異方導電材テープ３の先端部を引っ張り、巻回体１から異方導電材テープ３を引き出す。
【００３３】
巻回体１では、第１周回部６と第２周回部７とが径方向に交互に配置されている。巻回体１は、径方向の外側から見た場合に、第１周回部６の異方導電材テープ３と、第２周回部７の異方導電材テープ３とが交差するように配置されているので、周方向に連続して長く第２周回部７の異方導電材テープ３と径方向内側に配置された第１周回部６の異方導電材テープ３とが接触することが防止される。すなわち、第２周回部７の異方導電材テープ３は、第１周回部６の異方導電材テープ３の端部３ｃを乗り越えるように配置されるので、周方向に連続して第２周回部７の異方導電材テープ３と第１周回部６の異方導電材テープ３と接触し続けることが防止される。
【００３４】
また、巻回体１では、隣接する異方導電材テープ３の端部３ｃ間に、隙間ｄが形成されているので、第２周回部７の異方導電材テープ３は、第１周回部６の異方導電材テープ３の端部３ｃ間の隙間ｄを跨ぐように配置されている。これにより、異方導電材テープ３の長手方向において、径方向内側に配置された異方導電材テープ３と接触していない部分が所定の間隔で形成されるので、異方導電材テープ３を巻回体１から引き出す際に、異方導電材テープ３が径方向内側の異方導電材テープ３から容易に剥がれることになる。巻回体１では、異方導電材テープ３を巻回体１から引き出す際に、異方導電材テープ３の接着剤層５が、径方向内側の異方導電材テープ３の基材フィルム４に付着したまま残ってしまうことで同一周回の異方導電材テープ３の接着剤層５と基材フィルム４とが剥離してしまうことが防止される。その結果、巻回体１から異方導電材テープ３を安定的に連続して引き出すことができる。
【００３５】
また、巻回体１では、第１周回部６の異方導電材テープ３と第２周回部７の異方導電材テープ３とが互いに交差するように配置することで、径方向内側の異方導電材テープ３の端部３ｃを乗り越える回数を増やすことができる。
【００３６】
本発明は、前述した実施形態に限定されず、本発明の要旨を逸脱しない範囲で種々の変形が可能である。
【００３７】
上記実施形態では、接着剤テープとして異方導電性を有する異方導電材テープ２を例示しているが、接着剤テープは異方導電材テープに限定されず、等方導電材テープ、絶縁材テープ等のその他の接着剤テープを巻芯に巻き重ねてもよい。等方導電材テープは、等方導電性を有する接着剤層を備え、この接着剤層に含まれる導電粒子の含有量は、異方導電材テープの接着剤層よりも多くなっている。また、絶縁材テープは、導電粒子を含有せず電気絶縁性を有する接着剤層を備えている。
【符号の説明】
【００３８】
１…巻回体、２…巻芯、２ａ…一端、２ｂ…他端、３…異方導電材テープ（接着剤テープ）、４…基材フィルム、５…接着剤層（異方導電材層）、６…第１周回部、７…第２周回部、Ｌ０…巻芯の軸線。
【図１】
2015007183.tif 000003
【図２】
2015007183.tif 000004
【図３】
2015007183.tif 000005
【図４】
2015007183.tif 000006